(57)【要約】【課題】  対向に配置された両捏ね部材の間に形成されたスリットの間隔を調節することができるので、円滑な捏ね及び作動が可能である。【解決手段】  オーブン室１０を形成する本体と、前記オーブン室内に互いに離隔して設置されてミックスバッグを把持して回転する一対の捏ねドラムを有する製パン機において、前記両捏ねドラムの間で前記ミックスバッグが通過するためのスリットが形成されるように互いに対向するように配置される一対の捏ね部材と、前記スリットの間隔が調節されるように前記両捏ね部材を互いに接近及び離隔させる間隔調節部と、を含むことを特徴とする。【選択図】  図２
2004329897.tif 000002
【特許請求の範囲】
【請求項１】
オーブン室を形成する本体と、前記オーブン室内に互いに離隔して設置されてミックスバッグを把持して回転する一対の捏ねドラムを有する製パン機において、
前記両捏ねドラムの間で前記ミックスバッグが通過するためのスリットが形成されるように互いに対向するように配置される一対の捏ね部材と、
前記スリットの間隔が調節されるように前記両捏ね部材を互いに接近及び離隔させる間隔調節部と、
を含むことを特徴とする製パン機。
【請求項２】
前記捏ね部材は、前記オーブン室内に回動できるように設けられる回動捏ね部材と、前記間隔調節部により前記回動捏ね部材に接近及び離隔できるように設けられる調節捏ね部材と、を含むことを特徴とする請求項１に記載の製パン機。
【請求項３】
前記オーブン室の内側壁から前方に向いて突出されて、前記調節捏ね部材を前記回動捏ね部材に接近及び離隔できるように支持する支持ブラケットをさらに含み、
前記間隔調節部は、前記支持ブラケットから上向き突出され、板面に調節ネジ締結孔が形成された調節ネジ支持部と、前記調節ネジ支持部の前記調節ネジ締結孔に締結されて前記調節捏ね部材を前記回動捏ね部材に接近及び移動させる調節ネジと、を含むことを特徴とする請求項２に記載の製パン機。
【請求項４】
前記調節捏ね部材と前記支持ブラケットの中で一方の側には、他方の側に向いて突出されたガイド突起が設けられ、
前記調節捏ね部材と前記支持ブラケットの中で他方の側には、前記ガイド突起がスライディングできるように挿入されて、前記調節捏ね部材の接近及び離隔移動を案内するガイド孔が設けられることを特徴とする請求項３に記載の製パン機。
【請求項５】
前記本体は、前記オーブン室の内側壁を形成するリアブラケットと、前記オーブン室の両側壁を形成するサイドブラケットと、を有するオーブンフレームと；
前記オーブンフレームが受容されるオーブン受容部が形成され、前記オーブンフレームの後方をカバーし、前記調節ネジ支持部の前記調節ネジ締結孔に対応する位置に前記調節ネジを調節するための調節工具が通過する第１調節工具通過孔が形成されたカバーブラケットを有する本体フレームと；を含むことを特徴とする請求項４に記載の製パン機。
【請求項６】
外観を形成するように前記本体フレームの後方を遮蔽し、前記カバーブラケットの前記第１ドライバー通過孔に対応する位置に前記調節工具が通過する第２ドライバー通過孔が形成された後方カバーをさらに含むことを特徴とする請求項５に記載の製パン機。
【請求項７】
前記支持ブラケットは、前記オーブンフレームの前記リアブラケットの上側の端部から前方に向いて折曲されて形成されることを特徴とする請求項５に記載の製パン機。
【発明の詳細な説明】
【技術分野】
【０００１】
本発明は、製パン機に係り、特に、オーブン室が形成されている本体と、オーブン室内に互いに所定の離隔間隔をおいて平行に配置されて正逆回転しながら製パン材料が受容されたミックスバッグの両端部が巻き取られる一対の捏ねドラムを有する製パン機に関する。
【背景技術】
【０００２】
一般に、パンとは、小麦粉またはその他の穀物にイスト、水、塩等を加えて捏ねた後、発酵させて焼いたり蒸したりしたものを言い、このようなパンを製造するためには上記のような複雑な工程を経なければならないので、一般人が家庭で直接にパンを製造することはとても難しいことである。
【０００３】
そのため、一般人が容易かつ簡便にパンを製造できるように一連の製パン工程を自動に実行することができる製パン機に対する研究及び開発が活発に進められている。
【０００４】
このような製パン機の中で、オーブン室の内側の上部及び下部に製パン材料が受容されたミックスバッグの両端部を巻き取る一対の捏ねドラムと、両捏ねドラムの間でミックスバッグ内の製パン材料を捏ね、捏ねられた製パン材料が上部に位置する捏ねドラムの上部を外れないようにする一対の捏ね部材が互いに対向するように設けられている製パン機が開示されている。ここで、両捏ね部材は、ミックスバッグを通すためのスリットを形成するように互いに対向して配置される。
【０００５】
このような構成により、製パン機の運転が始まると、両捏ねドラムは、モーターなどの駆動部により正逆回転することにより、ミックスバッグを上下に往復運動させ、このような工程によりミックスバッグが両捏ね部材の間に形成されたスリットを通過するようになって製パン材料が捏ねられる。
【０００６】
ところが、前記のような構成を有する製パン機においては、両捏ね部材の間に形成されたスリットの間隔が固定されて、製パン機の製作中に両捏ねドラムを設ける段階で発生する誤差によりスリットの間隔が所望の数値を満足しない場合には製パン過程の中で製パン材料の捏ねが均一でなく、作動不良が発生する恐れがある。例えば、両捏ねドラムにより形成されたスリットの間隔が一定数値以上に製作される場合、ミックスバッグに受容された製パン材料の一部がミックスバッグとともにスリットを通過して上部捏ねドラムに移動することにより、捏ねが円滑に行われない。その一方、両捏ねドラムの間に形成されたスリットの間隔が一定の数値以下に製作される場合には、ミックスバッグがスリットの間で係止して作動しなったり、ミックスバッグがスリットにひっかかった状態で両捏ねドラムが回転してミックスバッグが破損する恐れがある。
【発明の開示】
【発明が解決しようとする課題】
【０００７】
本発明の目的は、対向配置された両捏ね部材の間に形成されたスリットの間隔を調節できるようにして、円滑な捏ね及び動作が可能な製パン機を提供することにある。
【課題を解決するための手段】
【０００８】
前記目的を達成するために本発明によるは、オーブン室１０を形成する本体と、前記オーブン室内に互いに離隔して設置されてミックスバッグを把持して回転する一対の捏ねドラムを有する製パン機において、前記両捏ねドラムの間で前記ミックスバッグが通過するためのスリットが形成されるように互いに対向するように配置される一対の捏ね部材と、前記スリットの間隔が調節されるように前記両捏ね部材を互いに接近及び離隔させる間隔調節部と、を含むことを特徴とする。
【０００９】
ここで、前記捏ね部材は、前記オーブン室内に回動できるように設けられる回動捏ね部材と、前記間隔調節部により前記回動捏ね部材に接近及び離隔できるように設けられる調節捏ね部材と、を含むことが好ましい。
【００１０】
また、前記オーブン室の内側壁から前方に向いて突出されて、前記調節捏ね部材を前記回動捏ね部材に接近及び離隔できるように支持する支持ブラケットをさらに含み、前記間隔調節部は、前記支持ブラケットから上向き突出され、板面に調節ネジ締結孔が形成された調節ネジ支持部と、前記調節ネジ支持部の前記調節ネジ締結孔に締結されて前記調節捏ね部材を前記回動捏ね部材に接近及び移動させる調節ネジと、を含むことが好ましい。
【００１１】
また、前記調節捏ね部材と前記支持ブラケットの中で一方の側には、他方の側に向いて突出されたガイド突起が設けられ、前記調節捏ね部材と前記支持ブラケットの中で他方の側には、前記ガイド突起がスライディングできるように挿入されて、前記調節捏ね部材の接近及び離隔移動を案内するガイド孔が設けられることが好ましい。
【００１２】
ここで、前記オーブン室の内側壁を形成するリアブラケットと、前記オーブン室の両側壁を形成するサイドブラケットと、を有するオーブンフレームと；前記オーブンフレームが受容されるオーブン受容部が形成され、前記オーブンフレームの後方をカバーし、前記調節ネジ支持部の前記調節ネジ締結孔に対応する位置に前記調節ネジを調節するための調節工具が通過する第１調節工具通過孔が形成されたカバーブラケットを有する本体フレームと；を含むことが好ましい。
【００１３】
また、外観を形成するように前記本体フレームの後方を遮蔽し、前記カバーブラケットの前記第１ドライバー通過孔に対応する位置に前記調節工具が通過する第２ドライバー通過孔が形成された後方カバーをさらに含むことが好ましい。
【００１４】
また、前記支持ブラケットは、前記オーブンフレームの前記リアブラケットの上側の端部から前方に向いて折曲されて形成されることができる。
【発明の効果】
【００１５】
上述したように、本発明によれば、対向して配置された両捏ね部材の間に形成されたスリットの間隔を調節することができるので、円滑な捏ね及び動作が可能である。
【発明を実施するための最良の形態】
【００１６】
以下、添付した図面を参照して、本発明に対して詳細に説明する。
【００１７】
本発明による製パン機１は、図１に示すように、オーブン室及び部品室が形成されている本体１０と、本体１の前方に設けられてオーブン室の前面開口を開閉するドア３０と、本体１０の前方の一方の側に設けられて製パン機１の運転状態を表示する運転表示パネル部９０と、を有する。
【００１８】
オーブン室の内側の上部及び下部には、互いに所定の離隔をおいて平行に設けられて正逆回転する上部捏ねドラム４０及び下部捏ねドラム４１（図３参照）が設けられる。ここで、上部捏ねドラム４０及び下部捏ねドラム４１には、製パン材料３が受容されたミックスバッグ２の両端部が巻き取られて、上部捏ねドラム４０及び下部捏ねドラム４１の正逆回転により上部捏ねドラム４０及び下部捏ねドラム４１の間を移動する。
【００１９】
上部捏ねドラム４０及び下部捏ねドラム４１の間のオーブン室の下部領域には、捏ね工程が完了した製パン材料３が受容される製パントレイ５０が設けられる。ここで、製パントレイ５０は、互いに対称なＬ字形状の第１トレイ部材５１及び第２トレイ部材５２が互いの結合により上向き開口された筒形状を有する。また、第１トレイ部材５１と第２トレイ部材５２との間には、ミックスバッグ２が通過するためのスリット５３が形成される。
【００２０】
オーブン室の内側壁の上部及び下部と、オーブン室に向くドア３０の表面にはオーブン室の内部を加熱する製パンヒーター８０が設けられ、オーブン室の上部に設けられた上部捏ねドラム４０の後方には、ミックスバッグ２に付着されたバーコードを判読するバーコードスキャナー（図示せず）を設けることもできる。
【００２１】
オーブン室の右側には部品室が形成される。部品室の内部には上部捏ねドラム４０と下部捏ねドラム４１を正逆回転させるためのドラム駆動部（図示せず）が設けられる。ドラム駆動部は、下部捏ねドラム４１を回転させる駆動モーター（図示せず）と、上部捏ねドラム４０が下部捏ねドラム４１と連動して正逆回転するように上部捏ねドラム４０と下部捏ねドラム４１とを連結するベルト（図示せず）を含むことができる。
【００２２】
また、本体１０は、図２に示すように、オーブン室を形成するオーブンフレーム１１と、オーブンフレーム１１が受容されるオーブン受容部が形成された本体フレーム１７と、後方の外観を形成するように本体フレーム１７の後方に結合される後方カバー２３と、を含む。
【００２３】
オーブンフレーム１１は、前方開口を有し、オーブン室の内側壁を形成するリアブラケット１２と、オーブン室の両側壁を形成する一対のサイドブラケット１３と、を含む。また、オーブンフレーム１１には、リアブラケット１２の上側の端部から前方に向いて突出されて後述する調節捏ね部材６１を支持する支持ブラケット１５が設けられる。ここで、支持ブラケット１５は、リアブラケット１２の上側の端部から前方に向いて折曲されてリアブラケット１２と一体に設けることができ、板状の支持フレームをリアブラケット１２の上部に結合して設けることもできる。
【００２４】
本体フレーム１７は、ベース板部１８とオーブンフレーム１１の後方をカバーするカバーブラケット１９と、カバーブラケット１９と結合されてオーブン受容部を形成する一対の側壁部２１ａ、２１ｂと、部品室を形成する空間の前方に配置される部品室カバー２２と、を含む。ここで、両側壁部２１ａ、２１ｂの中でオーブン受容部と部品室を形成する空間を区切る側壁部２１ｂは、部品室カバー２２と一体に設けることができる。
【００２５】
また、本発明による製パン機１は、図１乃至図３に示すように、上部捏ねドラム４０と下部捏ねドラム４１との間で製パントレイ５０の上部にミックスバッグ２が通過するためのスリット６４が形成されるように互いに対向して配置される一対の捏ね部材６０、６１と、スリット６４の間隔が調節されるように両捏ね部材６０、６１を互いに接近及び離隔させる間隔調節部７０と、を含む。
【００２６】
両捏ね部材６０、６１は、ミックスバッグ２内の製パン材料３を捏ね、捏ねられる製パン材料３がミックスバッグ２の内部で上部捏ねドラム４０に移動することを防止する。また、両捏ね部材６０、６１が互いに対向する側部にはそれぞれ捏ねプロファイル部材６２、６３が結合されている。
【００２７】
ここで、捏ね部材６０、６１は、オーブン室内に回動できるように設けられる回動捏ね部材６０と、オーブン室内に間隔調節部７０により回動捏ね部材６０に接近及び離隔できるように設けられる調節捏ね部材６１と、構成される。調節捏ね部材６１は、オーブン室の内側に設けられ、回動捏ね部材６０は、調節捏ね部材６１の前方にミックスバッグ２が通過するためのスリット６４が形成されるように調節捏ね部材６１と対向に配置される。
【００２８】
回動捏ね部材６０の長手方向の両側の端部には、オーブン室の両側壁、即ちオーブンフレーム１１の両サイドブラケット１３に回動できるように設けられる。即ち、回動捏ね部材６０の両側の端部には、オーブンフレーム１１のサイドブラケット１３に向いて突出された支持軸６５が設けられ、オーブンフレーム１１のサイドブラケット１３には回動捏ね部材６０の支持軸６５が回動できるように挿入される支持軸挿入孔１４が形成される。
【００２９】
調節捏ね部材６１は、オーブン室の内側壁から前方に向いて突出された、前述の支持ブラケット１５の回動捏ね部材６０に接近及び離隔できるように設けられる。ここで、調節捏ね部材６１の支持ブラケット１５と対向する板面には、支持ブラケット１５に向いて突出されたガイド突起６６が設けられ、支持ブラケット１５には、ガイド突起６６がスライディングできるように挿入されて調節捏ね部材６１の接近及び離隔移動を案内するガイド孔１６が設けられることが好ましい。これにより、調節捏ね部材６１が回動捏ね部材６０に接近及び離隔できるようになる。
【００３０】
また、間隔調節部７０は、支持ブラケット１５から上向き突出され、板面に調節ネジ締結孔７２が形成された調節ネジ支持部７１と、調節ネジ支持部７１に形成された調節ネジ締結孔７２に締結されて調節捏ね部材６１を回動捏ね部材６０に接近及び離隔させる調節ネジ７３と、を含む。
【００３１】
ここで、調節ネジ支持部７１は、支持ブラケット１５に垂直方向に沿って一つまたはその以上に設けられることができ、本発明の実施形態では、調節ネジ支持部７１が支持ブラケット１５の両側にそれぞれ設けられることを例えている。また、調節ネジ支持部７１に形成された調節ネジ締結孔７２の内径にはネジ山（図示せず）が形成されて調節ネジ７３が締結される。
【００３２】
調節ネジ７３は、ネジ山が形成された一方の側の端部が調節ネジ締結孔７２を通過して、調節捏ね部材６１の後方に接触されるように調節ネジ締結孔７２に締結される。この時、調節ネジ７３を調節ネジ締結孔７２に締結される方向に回転させると、調節ネジ７３の端部が調節捏ね部材６１を加圧して、回動捏ね部材６０に接近させ、調節ネジ７３を調節ネジ締結孔７２から解かれる方向に回転させると調節ネジ７３と調節捏ね部材６１が互いに離隔されて調節捏ね部材６１が回動捏ね部材６０から離隔できるようになる。ここで、調節ネジ７３の端部と調節捏ね部材６１とが互いに離隔されて調節捏ね部材６１が回動捏ね部材６０から離隔可能な状態になる場合にはミックスバッグ２に受容された製パン材料３が両捏ね部材６０、６１に係止されて調節捏ね部材６１を回動捏ね部材６０から離隔される方向に加圧することにより、両捏ね部材６０、６１の間に形成されたスリット６４の間隔が調節される。即ち、本発明による間隔調節部７０は、両捏ね部材６０、６１の間に形成されたスリット６４の間隔の上限値を制限するように設けられている。
【００３３】
また、本発明による製パン機１の本体フレーム１７のカバーブラケット１９には、調節ネジ締結孔７２に対応する位置に調節ネジ７３を調節するためのドライバーーのような調節工具が通過する第１調節工具通過孔２０が形成され、後方カバー２３には第１調節工具通過孔２０に対応する位置に調節工具が通過する第２調節工具通過孔２４が形成されることが好ましい。これにより、製パン機１の製作が完了された状態でも後方カバー２３の第２調節工具通過孔２４及びカバーブラケット１９の第１調節工具通過孔２０を通じてドライバーーのような調節工具を利用して調節ネジ７３の調節ができる。
【００３４】
このような構成により、製パン機１の運転が始まると、制御部（図示せず）は、まず上部捏ねドラム４０及び下部捏ねドラム４１を正逆回転させて捏ね過程を進行する。この時、ミックスバッグ２が上下移動しながら、ミックスバッグ２内の製パン材料３が捏ねられる。即ち、両捏ねドラム４０、４１の回転により、ミックスバッグ２が上部に移動する場合、回動捏ね部材６０及び調節捏ね部材６１の間に形成されたスリット６４によりミックスバッグ２だけが上部捏ねドラム４０に向いて移動され、ミックスバッグ２に受容された製パン材料３は、回動捏ね部材６０及び調節捏ね部材６１の間に形成されたスリット６４を通過せず、回動捏ね部材６０及び調節捏ね部材６１の下部で捏ねられる。また、ミックスバッグ２が下部に移動する場合、製パントレイ５０に形成されたスリット５３により同一過程により製パン材料３が捏ねられる。このような過程を通じて、上部捏ねドラム４０及び下部捏ねドラム４１が繰返して正逆回転することにより、製パン材料３の捏ねが進行される。
【００３５】
また、捏ね過程が終わると、ミックスバッグ２が下部捏ねドラム４１に全部巻き取られることにより、上部捏ねドラム４０から自動的に離脱される。これにより、製パントレイ５０内には、捏ねられた材料だけが残る。次に、製パンヒーター８０のヒーティング動作により捏ねられた材料を所定の時間の間発酵及び焼き過程を経て製パントレイ５０内でパンが作られる。
【００３６】
前述の実施形態では、間隔調節部７０が両捏ね部材６０、６１の間に形成されたスリット６４の間隔の上限値を制限するように設けられているが、調節ネジ７３の両方向の回転に対応して調節捏ね部材６１が回動捏ね部材６０に接近及び離隔されるように設けられることもできる。
【００３７】
このように、両捏ねドラムの間で製パントレイ５０の上部でミックスバッグ２が通過するためのスリット６４が形成されるように互いに対向して配置される一対の捏ね部材６０、６１と、スリット６４の間隔が調節されるように両捏ね部材を互いに接近及び離隔させる間隔調節部７０を設けることにより、対向に配置された両捏ね部材の間に形成されたスリット６４の間隔を調節することができる。
【図面の簡単な説明】
【００３８】
【図１】本発明による製パン機の斜視図である。
【図２】図１の製パン機の本体の分解斜視図である。
【図３】本発明による製パン機の概略的な断面図である。
【符号の説明】
【００３９】
１    製パン機
２    ミックスバッグ
３    製パン材料
１０    本体
１１    オーブンフレーム
１２    リアブラケット
１３    サイドブラケット
１４    支持軸挿入孔
１５    支持ブラケット
１６    ガイド孔
１７    本体フレーム
１８    ベース板部
１９    カバーブラケット
２０    第１調節工具通過孔
２１ａ、２１ｂ    側壁部
２２    部品室カバー
２３    後方カバー
２４    第２調節工具通過孔
３０    ドア
４０    上部捏ねドラム
４１    下部捏ねドラム
５０    製パントレイ
５１    第１トレイ部材
５２    第２トレイ部材
５３    スリット
６０    回動捏ね部材
６１    調節捏ね部材
６２、６３    捏ねプロファイル部材
６４    スリット
６５    支持軸
６６    ガイド突起
７０    間隔調節部
７１    調節ネジ支持部
７２    調節ネジ締結孔
７３    調節ネジ
８０    製パンヒーター
９０    運転表示パネル
【図１】
2004329897.tif 000003
【図２】
2004329897.tif 000004
【図３】
2004329897.tif 000005